(57)【要約】【課題】患者から採取された生検材料を確実に管理できる病理カセットを提供する。【解決手段】生検材料を収容する収容部を有するカセット本体と、前記収容部の開口を覆う蓋とを備え、前記カセット本体は、外壁にラベル貼り付け部を有し、前記蓋は、前記ラベル貼り付け部に貼り付けられたラベルの少なくとも一部を押さえるラベル押さえ部及び前記ラベル押さえ部を前記カセット本体に係止する係止部を有する。【選択図】図４
2019020202.tif 000002
【特許請求の範囲】
【請求項１】
生検材料を収容する収容部を有するカセット本体と、
前記収容部の開口を覆う蓋と
を備え、
前記カセット本体は、外壁にラベル貼り付け部を有し、
前記蓋は、前記ラベル貼り付け部に貼り付けられたラベルの少なくとも一部を押さえるラベル押さえ部及び前記ラベル押さえ部を前記カセット本体に係止する係止部を有する病理カセット。
【請求項２】
前記ラベル貼り付け部は、前記ラベルの位置ずれを防止する位置ずれ防止部を備える請求項１記載の病理カセット。
【請求項３】
前記ラベル押さえ部は、前記ラベルに表示された情報を読めるように構成されている請求項１または２記載の病理カセット。
【請求項４】
生検材料を収容する収容部を有するカセット本体の前記収容部の開口を覆う病理カセット用蓋であって、
前記カセット本体の外壁に形成されたラベル貼り付け部に貼り付けられたラベルの少なくとも一部を押さえるラベル押さえ部及び前記ラベル押さえ部を前記カセット本体に係止する係止部を有する病理カセット用蓋。
【請求項５】
前記ラベル押さえ部は、前記ラベルに表示された情報を読めるように構成されている請求項４記載の病理カセット用蓋。
【発明の詳細な説明】
【技術分野】
【０００１】
本発明は、生検材料を包埋するパラフィンブロックを作製する際に用いられる病理カセット及び病理カセット用蓋に関するものである。
【背景技術】
【０００２】
病理学検査のために患者から採取した生検材料は、アルコールやホルマリン等の固定液が入れられた病理材料用容器内に収容され、この病理材料用容器内で生検材料が固定される（例えば、特許文献１参照）。そして病理カセット等を用いて生検材料を包埋するパラフィンブロックが作製される。このような病理材料用容器や病理カセットには患者や生検材料を特定するためのシリアル番号が表示される。ここで病理材料用容器や病理カセットには、患者や生検材料を特定するためのシリアル番号を表示するため、患者や生検材料を特定するためのシリアル番号が表示されたラベルを貼り付ける場合がある。
【先行技術文献】
【特許文献】
【０００３】
【特許文献１】特開２００７―３２７８０７号公報
【発明の概要】
【発明が解決しようとする課題】
【０００４】
ところでアルコールやホルマリン等の固定液で固定された生検材料は、病理カセットに収容され病理カセットの上部を蓋によって覆い、パラフィン浸透装置を用いて脱水・脱脂・パラフィン浸透の処理を行なう。ここで生検材料の脱水・脱脂・パラフィン浸透の処理においては、キシレンやアルコールが用いられ、また処理時間を短縮するために超音波処理が行われる。
【０００５】
しかしながらキシレンやアルコールを用いた処理や、超音波処理により病理カセットに貼り行けられたラベルが剥がれてしまい生検材料の確実な管理が行えない場合があった。
【０００６】
本発明の目的は、患者から採取された生検材料を確実に管理できる病理カセット及び病理カセット用蓋を提供することである。
【課題を解決するための手段】
【０００７】
本発明の病理カセットは、生検材料を収容する収容部を有するカセット本体と、前記収容部の開口を覆う蓋とを備え、前記カセット本体は、外壁にラベル貼り付け部を有し、前記蓋は、前記ラベル貼り付け部に貼り付けられたラベルの少なくとも一部を押さえるラベル押さえ部及び前記ラベル押さえ部を前記カセット本体に係止する係止部を有する。
【０００８】
また本発明の病理カセットは、前記ラベル貼り付け部が前記ラベルの位置ずれを防止する位置ずれ防止部を備える。
【０００９】
また本発明の病理カセットは、前記ラベル押さえ部が前記ラベルに表示された情報を読めるように構成されている。
【００１０】
本発明の病理カセット用蓋は、生検材料を収容する収容部を有するカセット本体の前記収容部の開口を覆う病理カセット用蓋であって、前記カセット本体の外壁に形成されたラベル貼り付け部に貼り付けられたラベルの少なくとも一部を押さえるラベル押さえ部及び前記ラベル押さえ部を前記カセット本体に係止する係止部を有する。
【００１１】
また本発明の病理カセット用蓋は、前記ラベル押さえ部が前記ラベルに表示された情報を読めるように構成されている。
【発明の効果】
【００１２】
本発明によれば、患者から採取された生検材料を確実に管理できる病理カセット及び病理カセット用蓋を提供することができる。
【図面の簡単な説明】
【００１３】
【図１】実施の形態に係る病理材料用容器の外観を示す図である。
【図２】実施の形態に係る蓋シール及びマルチラベルを貼り付けた病理材料用容器を示す図である。
【図３】実施の形態に係るラベルを貼り付けた各用紙を示す図である。
【図４】実施の形態に係る病理カセットの構成を示す図である。
【図５】実施の形態に係る病理カセットの蓋を閉じた状態を示す図である。
【図６】実施の形態に係る包埋皿の上に病理カセットを配置した状態を示す断面図である。
【図７】実施の形態に係るパラフィンブロックを示す断面図である。
【発明を実施するための形態】
【００１４】
以下、図面を参照して実施の形態について説明する。図１は実施の形態に係る病理材料用容器の外観を示す図である。図１に示すように病理材料用容器２は、一端が閉じ他端に開口部を有する円筒状の容器本体４と、容器本体４の開口部を密封する蓋体６を備えている。容器本体４には、ホルマリン等の生検材料を固定するための固定液が収容されている。
【００１５】
図２は実施の形態に係るマルチラベルを貼り付けた病理材料用容器を示す図である。内視鏡室等に保管されている病理材料用容器２には、その側壁にホルマリン、キシレン、アルコール等の薬剤に対して薬剤耐性を有する材質により形成されたマルチラベル１８が貼り付けられている。なお、図２においてはマルチラベル１８の左端部のみが容器本体４及び蓋体６の側壁に貼り付けられているが、実際にはマルチラベル１８の全体が容器本体４及び蓋体６の側壁に貼り付けられている。
【００１６】
マルチラベル１８は、切り放し可能な状態で連接されている複数のラベル２００〜２０７とラベル台紙２８とからなり、複数のラベル２００〜２０７の内、一方の端に形成されている１枚のラベル２００が蓋体６側の側壁、残りのラベル２０１〜２０７が容器本体４側の側壁に位置するように貼り付けられている。またラベル２００〜２０７のそれぞれの間には連接しているラベル２００〜２０７を切り放すためのミシン目２２が形成されている。
【００１７】
ラベル２００〜２０７には、病理材料用容器２を特定するための容器シリアル番号（ＡＢＣ１２３４）、容器シリアル番号の右に表示されるラベル２００〜２０７毎のラベルシリアル番号（０〜７の何れか）及び容器シリアル番号を示す２次元バーコードが印字されている。容器シリアル番号、ラベルシリアル番号及び２次元バーコードは、ホルマリン、キシレン、アルコール等の薬剤に対して薬剤耐性を有するインクによって印字されている。
【００１８】
次に内視鏡検査で患者から採取された生検材料の内視鏡室での処理について説明する。ここで生検材料が収容される前の病理材料用容器２は、医療機関において容器本体４に固定液であるホルマリンが収容されている状態で蓋体６により密封され、マルチラベル１８が貼り付けられた状態で保管されている。
【００１９】
患者の診察を行なう医師は、患者に対して内視鏡検査を行なう必要があると認めた場合に、内視鏡検査を担当する内視鏡医師にその患者の内視鏡検査の実施を指示する。内視鏡室では内視鏡医師又は看護師が内視鏡検査を受ける患者の患者名を確認した後、内視鏡検査を実施する。内視鏡医師は、病理診断が必要と判断した場合には生検材料の採取を行なう。
【００２０】
患者から複数の生検材料３ａ〜３ｃ（図４参照）を採取した場合には、内視鏡医師又は看護師は、生検材料３ａ〜３ｃを濾紙に貼り付け、濾紙に生検材料３ａ〜３ｃを識別する番号を記載する。看護師は、内視鏡検査を行なった患者名等を内視鏡室看護記録に記載し、生検材料３ａ〜３ｃを収容するための病理材料用容器２を用意する。そして病理材料用容器２に貼り付けられているラベル２０１を剥がし、図３（ａ）に示すように内視鏡室看護記録に貼り付ける。
【００２１】
次に看護師は、病理材料用容器２の蓋体６を開けて容器本体４内に生検材料３ａ〜３ｃを収容する。なお蓋体６を開けたとき、ラベル２００とラベル２０１との間及びラベル台紙２８は、ラベル２００とラベル２０１との間のミシン目２２の位置で破れて切り放される。看護師は生検材料３ａ〜３ｃを容器本体４内に収容した後、容器本体４を蓋体６によって密封する。
【００２２】
内視鏡医師は、病理検査を依頼するための病理依頼書を作成し、病理材料用容器２に貼り付けられているラベル２０２を剥がし、図３（ｂ）に示すように病理依頼書に貼り付ける。そして内視鏡医師及び看護師は、内視鏡室看護記録に貼り付けられているラベル２０１、病理依頼書に貼り付けられているラベル２０２及び病理材料用容器２に貼り付けられているラベル２００が同一の容器シリアル番号であることを確認し内視鏡検査を終了し、患者は内視鏡室から退室する。また内視鏡室で採取された生検材料の搬送を行なう搬送者は、病理検査のために病理材料用容器２及び病理依頼書を内視鏡室から病理検査室に搬送する。
【００２３】
次に病理検査室における処理について説明する。病理材料用容器２及び病理依頼書の搬送を行なった搬送者は、病理検査室で病理材料受付記録簿へ受付日の記入及び署名等を行ない、病理材料用容器２に貼り付けられているラベル２０３を剥がし、図３（ｃ）に示すように病理材料受付記録簿に貼り付ける。
【００２４】
病理検査室の病理技師は、搬送されてきた病理材料用容器２内に生検材料３ａ〜３ｃが存在することを確認すると共に、病理材料用容器２に貼り付けられているラベル２００及び病理依頼書に貼り付けられているラベル２０２の容器シリアル番号の一致を確認する。また病理技師は、病理検査ごとに採番する病理番号（Ｐ１６−０１２３４）を発行し病理番号発行台帳に記入する。次に病理技師は、病理材料用容器２に貼り付けられているラベル２０４を剥がし、図３（ｄ）に示すように病理番号発行台帳に貼り付ける。また病理技師は、病理サブシステム（図示せず）に病理番号を入力する。また病理サブシステムを構成する端末に接続されているバーコードリーダを用いて病理材料用容器２に貼り付けられているラベル２００の２次元バーコードを読み取らせて容器シリアル番号を入力する。これにより病理サブシステムは、病理番号と容器シリアル番号とを関連づけて記憶する。
【００２５】
図４は病理カセット４０の構成を示す図である。病理カセット４０は、カセット本体４１と蓋４９とを備えている。カセット本体４１は微小な貫通孔が複数形成された底部４２と、底部４２の周囲に立設された側壁４４と、底部４２と側壁４４による内部空間を６つの収容部４８に仕切る仕切り板４６により構成されている。カセット本体４１の長手方向の一方の側壁４４には、下端が外側に突出する傾斜面であってラベルを貼り付けるラベル貼り付け部４４ａが形成されている。またラベル貼り付け部４４ａの両側部には、ラベル貼り付け部４４ａに貼り付けられたラベルの位置ずれを防止する凸部４４ｂが形成されている。
【００２６】
また蓋４９は、カセット本体４１の長手方向の他方の側壁４４に連続して形成されている。蓋４９は、微小な貫通孔が複数形成された６つの収容部４６の上部の開口を覆う蓋本体４９ａと、蓋本体４９ａに連続して形成されたラベル押さえ部４９ｂと、ラベル押さえ部４９ｂに連続して形成された係止部４９ｃを備えている。ラベル押さえ部４９ｂは、ラベル貼り付け部４９ａに貼り付けられたラベルを押さえ、係止部４９ｃはラベル押さえ部４９ｂをカセット本体４１の底部４２に係止する。
【００２７】
病理技師は、病理材料用容器２に貼り付けられているラベル２０５を剥がしてカセット本体４１のラベル貼り付け部４４ａに貼り付ける。また病理技師は、病理材料用容器２の蓋体６を開け、生検材料３ａ〜３ｃを貼り付けている濾紙を取り出す。ここで病理診断を行なう病理医は、濾紙から生検材料３ａ〜３ｃ分離し、生検材料３ａ〜３ｃの切り出しを行ない、切り出した生検材料３ａ〜３ｃをカセット本体４１の別々の収容部４８に収容する。病理技師は、病理材料用容器２に貼り付けられているラベル２０６を剥がしてカセット本体４１に載せる。
【００２８】
そして図５に示すようにカセット本体４１の上部を蓋本体４９ａによって覆い、ラベル貼り付け部４４ａに貼り付けられたラベル２０５をラベル押さえ部４９ｂによって押え、係止部４９ｃを底部４２に係止する。ここでラベル押さえ部４９ｂは、ラベル貼り付け部４４ａの両側部に形成されている凸部４４ｂの間に位置して、ラベル２０５が剥がれないようにラベル２０５をラベル貼り付け部４９ａに押付ける。
【００２９】
そしてパラフィン浸透装置（図示せず）を用いて生検材料３ａ〜３ｃの脱水・脱脂・パラフィン浸透の処理を行なう。ここでパラフィン浸透装置においては、生検材料の脱水・脱脂・パラフィン浸透の処理にキシレンやアルコールが用いられ、また処理時間を短縮するために超音波処理が行われる。
【００３０】
この処理が終了した後、病理技師は、パラフィン浸透装置から病理カセット４０を取り出す。また病理カセット４０から生検材料３ａ〜３ｃを取り出して図６に示すように包埋皿５０に並べ、包埋皿５０上にカセット本体４１を配置する。またカセット本体４１は、ラベル２０６を載せた状態のままにする。
【００３１】
病理技師は、パラフィンブロックの作製を行なう。即ち包埋皿５０の内部及びカセット本体４１の内部にパラフィンを供給し冷却する。そしてパラフィンが固体となった後包埋皿５０を除去する。これにより、図７に示すようにカセット本体４１を含んだ状態であり、生検材料３ａ〜３ｃがカセット本体４１の底部４２に位置するパラフィンブロック６０の作製が完了する。
【００３２】
病理技師は、ミクロトーム（図示せず）等を用いてパラフィンブロック内で固定された生検材料３ａ〜３ｃをミクロン（μｍ）単位の厚さで薄切して薄切片を得る薄切処理を行なう。次に病理技師は、薄切片の染色を行なう染色処理及び、染色された薄切片を封入した病理標本のプレパラートを作製する封入処理を行なう。このときプレパラートに病理番号を印字する。
【００３３】
病理技師は、カセット本体４１のラベル貼り付け部４４ａに貼り付けられているラベル２０５及びカセット本体４１内のラベル２０６の容器シリアル番号と、プレパラートに印字されている病理番号とが病理サブシステムにおいて関連づけられて記憶されていることを確認する。また病理依頼書に貼り付けられているラベル２０２の容器シリアル番号と、カセット本体４１のラベル貼り付け部４４ａに貼り付けられているラベル２０５及びカセット本体４１内のラベル２０６の容器シリアル番号が一致していることを確認する。
【００３４】
病理技師による確認後、病理医は、病理標本を観察し病理診断を行なう。このとき病理医は、容器シリアル番号とプレパラートに印字されている病理番号に齟齬がないことを確認し、病理診断の結果を記載し署名した病理報告書を作成する。
【００３５】
この実施の形態によれば、カセット本体４１の上部を蓋本体４９ａによって覆い、ラベル貼り付け部４４ａに貼り付けられたラベル２０５をラベル押さえ部４９ｂによって押え、係止部４９ｃを底部４２に係止するため、パラフィン浸透装置を用いて生検材料３ａ〜３ｃの脱水・脱脂・パラフィン浸透の処理を行なう際にキシレンやアルコールを用いた処理を行い、また超音波処理が行われた場合においても、ラベル貼り付け部４４ａに貼り付けられたラベル２０５が剥がれ落ちることがない。
【００３６】
また生検材料を収容した病理材料用容器２に貼り付けられている各ラベル２０１〜２０６を内視鏡室看護記録、病理依頼書、病理材料受付記録簿、病理番号発行台帳及び病理カセットに貼り付け、病理材料用容器２又は各用紙に貼り付けられているラベル２００〜２０７の容器シリアル番号同士を比較し一致を確認することにより、患者から採取された病理材料の取り違えや患者の取り違えを防止し、患者から採取された病理材料を確実に管理することができる。
【００３７】
なお上述の実施の形態においては、蓋４９は、カセット本体４１の長手方向の他方の側壁４４に連続して形成されているが、蓋４９を独立した部材として形成してもよい。
【００３８】
また上述の実施の形態においては、ラベル押え部４９ｂがラベル２０５の全体を覆いラベル２０５を押えているが、ラベル２０５の一部を押えるものであってもよい。またラベル押え部４９ｂがラベル２０５の全体を覆う場合には、ラベル押え部４９ｂは透明であることが好ましい。
【符号の説明】
【００３９】
２…病理材料用容器、４…容器本体、６…蓋体、１８…マルチラベル、４０…病理カセット、４１…カセット本体、４４ａ…ラベル貼り付け部、４９…蓋、４９ａ…蓋本体、４９ｂ…ラベル押え部、４９ｃ…係止部、６０…パラフィンブロック、２００〜２０７…ラベル
【図１】
2019020202.tif 000003
【図２】
2019020202.tif 000004
【図３】
2019020202.tif 000005
【図４】
2019020202.tif 000006
【図５】
2019020202.tif 000007
【図６】
2019020202.tif 000008
【図７】
2019020202.tif 000009